(57)【要約】【課題】サービス提供サーバ装置が必要とする情報と利用者端末が提供したい情報とを判断し、サービス提供サーバ装置に対して適切な情報を提供することを課題とする。【解決手段】サービス提供システムにおける情報管理サーバは、各種サービスの利用要求を利用者端末から受け付けたサービス提供サーバから、利用者端末に対応する個人属性情報の取得要求を受信した場合に、当該取得要求に基づいて、当該利用者端末を特定するとともに、サービス提供サーバ装置から要求されている個人属性情報を特定し、特定された個人属性情報からサービス提供サーバに提供する情報を選択させる選択要求を利用者端末に送信し、サービス提供サーバ装置に提供する個人属性情報が選択された選択結果を利用者端末から受信した場合に、当該選択結果により特定される個人属性情報を取得してサービス提供サーバに提供する。【選択図】        図１
2009217521.tif 000002
【特許請求の範囲】
【請求項１】
ネットワークを介して各種サービスを利用する利用者端末と、前記利用者端末に対して各種サービスを提供するサービス提供サーバ装置と、前記利用者端末を特定する個人情報を示す個人属性情報をサービス提供サーバ装置に提供する情報管理サーバ装置とから構成されるサービス提供システムであって、
前記情報管理サーバ装置は、
前記利用者端末に対応付けて、当該利用者端末に関する個人情報である個人属性情報を記憶する属性情報記憶手段と、
前記各種サービスの利用要求を前記利用者端末から受け付けたサービス提供サーバ装置から、前記利用者端末に対応する個人属性情報の取得要求を受信した場合に、当該取得要求に基づいて、当該利用者端末を特定するとともに、前記サービス提供サーバ装置から要求されている個人属性情報を前記属性情報記憶手段から特定する情報特定手段と、
前記情報特定手段により特定された個人属性情報から前記サービス提供サーバ装置に提供する情報を選択させる選択要求を前記利用者端末に送信する選択要求手段と、
前記サービス提供サーバ装置に提供する個人属性情報が選択された選択結果を前記利用者端末から受信した場合に、当該選択結果により特定される個人属性情報を属性情報記憶手段から取得してサービス提供サーバ装置に送信する情報送信手段と、
前記利用者端末は、
前記情報管理サーバ装置から選択要求を受信した場合に、前記選択結果を情報管理サーバ装置に送信する選択結果送信手段と、
を備えたことを特徴とするサービス提供システム。
【請求項２】
前記情報管理サーバ装置の情報特定手段は、前記利用者端末に対応する個人属性情報の取得要求を受信した場合に、前記個人属性情報を要求したサービス提供サーバ装置とのセッションを識別するためのセッション番号をさらに生成し、生成したセッション番号を付加した前記個人属性情報の選択が必要であることを示す選択確認要求を、前記サービス提供サーバ装置を介して利用者端末に対して送信し、
前記情報管理サーバ装置の選択要求手段は、前記情報特定手段により送信された選択確認要求に対して選択を実施する旨の応答を利用者端末から受信した場合に、前記選択要求を利用者端末に送信し、
前記利用者端末の選択結果送信手段は、前記選択結果を情報管理サーバ装置に送信する他に、前記情報管理サーバ装置から選択確認要求を受信した場合に、前記個人属性情報の選択を行うか否かの応答を、前記サービス提供サーバ装置を介することなく前記情報管理サーバ装置に送信することを特徴とする請求項１に記載のサービス提供システム。
【請求項３】
前記利用者端末の選択結果送信手段は、前記選択結果を情報管理サーバ装置に送信した後に、前記個人属性情報の再取得要求を、前記サービス提供サーバ装置を介して情報管理サーバ装置に送信し、
前記情報管理サーバ装置の情報送信手段は、前記利用者端末からサービス提供サーバ装置を介して前記個人属性情報の再取得要求を受信した場合に、前記利用者端末から受信した選択結果により特定される個人属性情報を属性情報記憶手段から取得してサービス提供サーバ装置に送信することを特徴とする請求項２に記載のサービス提供システム。
【請求項４】
前記情報管理サーバ装置は、前記利用者端末から受信した選択結果の履歴を記憶する選択履歴情報記憶手段をさらに備え、
前記情報管理サーバ装置の選択要求手段は、前記情報特定手段により特定された個人属性情報から前記サービス提供サーバ装置に提供する情報を選択させる選択要求を前記利用者端末に送信するのに際して、当該選択履歴情報記憶手段に記憶される選択結果の履歴に基づいて、当該利用者端末により選択される可能性が高い選択候補を予め選択した状態で、前記利用者端末に選択要求を送信することを特徴とする請求項１〜３のいずれか一つに記載のサービス提供システム。
【請求項５】
前記情報管理サーバ装置の選択履歴情報記憶手段は、前記選択結果に対応付けて、当該選択結果が選択された際の利用者端末に関する情報を示す状況情報をさらに記憶するものであって、
前記情報管理サーバ装置の選択要求手段は、前記情報特定手段により特定された個人属性情報から前記サービス提供サーバ装置に提供する情報を選択させる選択要求を前記利用者端末に送信するのに際して、当該選択履歴情報記憶手段に記憶される状況情報と予め定めた所定の条件とに基づいて、当該利用者端末により選択される可能性が高い選択候補を予め選択した状態で、前記利用者端末に選択要求を送信することを特徴とする請求項４に記載のサービス提供システム。
【請求項６】
ネットワークを介して各種サービスを利用する利用者端末と、前記利用者端末に対して各種サービスを提供するサービス提供サーバ装置と、前記利用者端末を特定する個人情報を示す個人属性情報をサービス提供サーバ装置に提供する情報管理サーバ装置とから構成されるサービス提供システムであって、
前記情報管理サーバ装置は、
前記利用者端末に対応付けて、前記サービス提供サーバ装置から要求されている項目を示す属性情報項目と、当該属性情報項目に記憶される情報を識別する識別名と、当該識別名により特定される情報を示す値とから構成される個人属性情報を記憶する属性情報記憶手段と、
前記個人属性情報を要求したサービス提供サーバ装置とのセッションを識別するためのセッション番号と、前記利用者端末と、前記属性情報項目と、前記選択結果とを記憶する属性情報選択制御記憶手段と、
前記各種サービスの利用要求を前記利用者端末から受け付けたサービス提供サーバ装置から、前記利用者端末に対応する個人属性情報の取得要求を受信した場合に、当該取得要求に基づいて、当該利用者端末を特定するとともに、前記サービス提供サーバ装置から要求されている属性情報項目を前記属性情報記憶手段から特定する情報特定手段と、
前記情報特定手段により利用者端末と属性情報項目とが特定された場合に、前記セッション番号を生成し、生成したセッション番号と特定した利用者端末と属性情報項目とを属性情報選択制御記憶手段に格納するセッション情報生成手段と、
前記セッション情報生成手段によりセッション番号と利用者端末と属性情報項目とが属性情報選択制御記憶手段に格納された場合に、格納されたセッション番号を付加した前記属性情報項目の選択が必要であることを示す選択確認要求を、前記サービス提供サーバ装置を介して利用者端末に対して送信する確認要求手段と、
前記確認要求手段により送信された選択確認要求に対して選択を実施する旨の応答を利用者端末から受信した場合に、当該応答により特定される利用者端末とセッション番号とに対応付けて属性情報選択制御記憶手段に記憶される属性情報項目をさらに特定し、特定した属性情報項目に対応する識別名を前記属性情報記憶手段から取得して、前記選択要求として前記利用者端末に送信する選択要求手段と、
前記サービス提供サーバ装置に提供する個人属性情報が選択された選択結果を前記利用者端末から受信した場合に、当該選択結果から利用者端末とセッション番号とを特定し、特定した利用者端末とセッション番号に対応づけて、当該選択結果により特定される識別名を前記属性情報記憶手段から取得して前記属性情報選択制御記憶手段に格納する選択結果格納手段と、
前記選択結果格納手段により選択結果により特定された識別名が前記属性情報選択制御記憶手段に格納された後に、前記サービス提供サーバ装置から前記個人属性情報の再取得要求を受信した場合に、当該再取得要求から利用者端末とセッション番号を特定し、特定した利用者端末とセッション番号とに対応づけて前記属性情報選択制御記憶手段に記憶される識別名に対応した値を前記属性情報記憶手段から取得して、サービス提供サーバ装置に送信する情報提供手段と、
前記サービス提供サーバ装置は、
前記情報管理サーバ装置に対して、前記個人属性情報の取得を再度要求する旨の指示を利用者端末から受信した場合に、前記個人属性情報の再取得要求を情報管理サーバ装置に送信する再取得要求手段と、
前記利用者端末は、
前記情報管理サーバ装置から選択確認要求を受信した場合に、前記個人属性情報の選択を行うか否かの応答を、前記サービス提供サーバ装置を介することなく前記情報管理サーバ装置に送信する確認応答手段と、
前記情報管理サーバ装置から選択要求を受信した場合に、前記選択結果として選択した識別名を情報管理サーバ装置に送信する選択結果送信手段と、
前記選択結果送信手段により選択結果が情報管理サーバ装置に送信された後に、前記個人属性情報の取得を再度要求する旨の指示を、前記サービス提供サーバ装置に送信する再取得指示手段と、
を備えたことを特徴とするサービス提供システム。
【請求項７】
ネットワークを介して各種サービスを利用する利用者端末と、前記利用者端末に対して各種サービスを提供するサービス提供サーバ装置と、前記利用者端末を特定する個人情報を示す個人属性情報をサービス提供サーバ装置に提供する情報管理サーバ装置とから構成されるサービス提供システムに適したサービス提供方法であって、
前記情報管理サーバ装置は、
前記利用者端末に対応付けて、当該利用者端末に関する個人情報である個人属性情報を記憶する属性情報記憶手段と、
前記各種サービスの利用要求を前記利用者端末から受け付けたサービス提供サーバ装置から、前記利用者端末に対応する個人属性情報の取得要求を受信した場合に、当該取得要求に基づいて、当該利用者端末を特定するとともに、前記サービス提供サーバ装置から要求されている個人属性情報を前記属性情報記憶手段から特定する情報特定工程と、
前記情報特定工程により特定された個人属性情報から前記サービス提供サーバ装置に提供する情報を選択させる選択要求を前記利用者端末に送信する選択要求工程と、
前記サービス提供サーバ装置に提供する個人属性情報が選択された選択結果を前記利用者端末から受信した場合に、当該選択結果により特定される個人属性情報を属性情報記憶手段から取得してサービス提供サーバ装置に送信する情報送信工程と、
前記利用者端末は、
前記情報管理サーバ装置から選択要求を受信した場合に、前記選択結果を情報管理サーバ装置に送信する選択結果送信工程と、
を含んだことを特徴とするサービス提供方法。
【請求項８】
ネットワークを介して各種サービスを利用する利用者端末と、前記利用者端末に対して各種サービスを提供するサービス提供サーバ装置と、前記利用者端末を特定する個人情報を示す個人属性情報をサービス提供サーバ装置に提供する情報管理サーバ装置とから構成されるサービス提供システムにおける前記情報管理サーバ装置であって、
前記利用者端末に対応付けて、当該利用者端末に関する個人情報である個人属性情報を記憶する属性情報記憶手段と、
前記各種サービスの利用要求を前記利用者端末から受け付けたサービス提供サーバ装置から、前記利用者端末に対応する個人属性情報の取得要求を受信した場合に、当該取得要求に基づいて、当該利用者端末を特定するとともに、前記サービス提供サーバ装置から要求されている個人属性情報を前記属性情報記憶手段から特定する情報特定手段と、
前記情報特定手段により特定された個人属性情報から前記サービス提供サーバ装置に提供する情報を選択させる選択要求を前記利用者端末に送信する選択要求手段と、
前記サービス提供サーバ装置に提供する個人属性情報が選択された選択結果を前記利用者端末から受信した場合に、当該選択結果により特定される個人属性情報を属性情報記憶手段から取得してサービス提供サーバ装置に送信する情報送信手段と、
を備えたことを特徴とする情報管理サーバ装置。
【請求項９】
ネットワークを介して各種サービスを利用する利用者端末と、前記利用者端末に対して各種サービスを提供するサービス提供サーバ装置と、前記利用者端末を特定する個人情報を示す個人属性情報をサービス提供サーバ装置に提供する情報管理サーバ装置とから構成されるサービス提供システムにおける前記情報管理サーバ装置に適した情報管理方法であって、
前記利用者端末に対応付けて、当該利用者端末に関する個人情報である個人属性情報を記憶する属性情報記憶手段と、
前記各種サービスの利用要求を前記利用者端末から受け付けたサービス提供サーバ装置から、前記利用者端末に対応する個人属性情報の取得要求を受信した場合に、当該取得要求に基づいて、当該利用者端末を特定するとともに、前記サービス提供サーバ装置から要求されている個人属性情報を前記属性情報記憶手段から特定する情報特定工程と、
前記情報特定工程により特定された個人属性情報から前記サービス提供サーバ装置に提供する情報を選択させる選択要求を前記利用者端末に送信する選択要求工程と、
前記サービス提供サーバ装置に提供する個人属性情報が選択された選択結果を前記利用者端末から受信した場合に、当該選択結果により特定される個人属性情報を属性情報記憶手段から取得してサービス提供サーバ装置に送信する情報送信工程と、
を含んだことを特徴とする情報管理方法。
【請求項１０】
ネットワークを介して各種サービスを利用する利用者端末と、前記利用者端末に対して各種サービスを提供するサービス提供サーバ装置と、前記利用者端末を特定する個人情報を示す個人属性情報をサービス提供サーバ装置に提供する情報管理サーバ装置とから構成されるサービス提供システムにおける前記情報管理サーバ装置としてのコンピュータに実行させる情報管理プログラムであって、
前記利用者端末に対応付けて、当該利用者端末に関する個人情報である個人属性情報を記憶する属性情報記憶手段と、
前記各種サービスの利用要求を前記利用者端末から受け付けたサービス提供サーバ装置から、前記利用者端末に対応する個人属性情報の取得要求を受信した場合に、当該取得要求に基づいて、当該利用者端末を特定するとともに、前記サービス提供サーバ装置から要求されている個人属性情報を前記属性情報記憶手段から特定する情報特定手順と、
前記情報特定手順により特定された個人属性情報から前記サービス提供サーバ装置に提供する情報を選択させる選択要求を前記利用者端末に送信する選択要求手順と、
前記サービス提供サーバ装置に提供する個人属性情報が選択された選択結果を前記利用者端末から受信した場合に、当該選択結果により特定される個人属性情報を属性情報記憶手段から取得してサービス提供サーバ装置に送信する情報送信手順と、
をコンピュータに実行させることを特徴とする情報管理プログラム。
【発明の詳細な説明】
【技術分野】
【０００１】
この発明は、ネットワークを介して各種サービスを利用する利用者端末と、前記利用者端末に対して各種サービスを提供するサービス提供サーバ装置と、前記利用者端末を特定する個人情報を示す個人属性情報をサービス提供サーバ装置に提供する情報管理サーバ装置とから構成されるサービス提供システム、サービス提供方法、情報管理サーバ装置、情報管理方法および情報管理プログラムに関する。
【背景技術】
【０００２】
従来より、インターネットが広く普及し、インターネットを利用して各種サービスを利用する様々なシステムが提供されている。このようなシステムにおいては、利用者がインターネット上で何らかのサービスの提供を受けようとする際、サービスを提供するサービス提供サイトに個人属性情報（例えば、住所、電話番号、メールアドレス、クレジット番号など）の入力が必要となることが多い。
【０００３】
上記した従来のシステムでは、利用者は、サービスを利用する度に個人属性情報の入力を行う必要があり、利用者にとって利便性が悪い。そこで、最近では、利用者の利便性を高める様々な仕組みが提供されつつある（非特許文献１と非特許文献２参照）。
【０００４】
具体的に説明すると、図１４に示すように、このシステムは、インターネットを介して各種サービスを利用する利用者端末（利用者ＩＤ＝０７ａｂ）と、利用者端末によって予め登録された個人属性情報を保持する情報管理サイトを運営する情報管理サーバ装置と、利用者端末に対して各種サービスを提供するサービス提供サイトを運営するサービス提供サーバ装置とから構成される。
【０００５】
このような構成において、利用者端末は、サービスを利用するためにサービス提供サーバ装置にアクセスして利用者ＩＤの入力などを行い（図１４の（１）参照）、アクセスを受け付けたサービス提供サーバ装置は、当該利用者端末のＩＤ＝０７ａｂに対応する個人属性情報の取得要求を情報管理サーバ装置に送信する（図１４の（２）参照）。この要求を受け付けた情報管理サーバ装置は、利用者端末のＩＤ＝０７ａｂに対応付けて登録されている個人属性情報をサービス提供サーバ装置に提供する（図１４の（３）と（４）参照）。その後、個人属性情報の提供を受けたサービス提供サーバ装置は、利用者端末にサービスを提供する（図１４の（５）参照）。
【０００６】
【非特許文献１】“ｇｏｏワンビリング”、［online］、［平成１９年１１月１１日検索］、インターネット＜http://billing.goo.ne.jp＞
【非特許文献２】“Ａｇｕｒｉｐｐａ”、［online］、［平成１９年１１月１１日検索］、インターネット＜http://agurippa.com/about/index.html＞
【発明の開示】
【発明が解決しようとする課題】
【０００７】
しかしながら、上記した従来の技術は、サービス提供サーバ装置が必要とする情報と利用者端末が提供したい情報とを判断し、サービス提供サーバ装置に対して適切な情報を提供することができないという課題があった。
【０００８】
具体的に説明すると、利用者は、使用目的に応じて提供する情報を使い分けるためにも、一つの属性情報項目に対して複数の情報を情報管理サーバ装置に登録することが、一般的に行われている。例えば、利用者が利用する利用者端末は、メールアドレスとして「メールアドレス１」と「メールアドレス２」とを情報管理サーバ装置に登録し、また、クレジット番号として「クレジット番号１」と「クレジット番号２」とを登録している。このような状態において、利用者端末Ａからアクセスを受け付けたサービス提供サーバ装置は、利用者端末Ａに対応する情報の取得要求を情報管理サーバ装置に送信する。ここで、情報管理サーバ装置は、利用者端末Ａに対応付けて「メールアドレス」と「クレジット番号」とをそれぞれ複数記憶しており、具体的にどの情報を応答するのかを何らかの方法で決めなければならない。
【０００９】
例えば、情報管理サーバ装置は、記憶している情報全てをサービス提供サーバ装置に応答する手法が考えられる。ところが、この場合、サービス提供サーバ装置にとっては、不必要な情報を取得することになったり、また、利用者端末にとっては、提供したくない情報が提供されたりと、個人情報保護の観点からも好ましくない。
【００１０】
一方で、情報管理サーバ装置は、記憶している情報のうち、情報提供サーバ装置が指定した情報のみを提供する手法も考えられる。ところが、この場合、情報提供サーバ装置は、提供されるべき情報が適切な情報であるか否かを判断して指定する必要がある。例えば、利用者端末Ａでは「メールアドレス１」に携帯電話のメールアドレスが登録されており、利用者端末Ｂでは「メールアドレス２」に携帯電話のメールアドレスが登録されている場合に、サービス提供サーバ装置は、必要とする携帯電話のメールアドレスを取得するために、利用者端末Ａと利用者端末Ｂとのそれぞれで別の項目を指定しなければならない。つまり、サービス提供サーバ装置では、利用者に応じて取得する項目を指定する必要があるが、どのような情報が情報管理サーバ装置に登録されているかを把握できないサービス提供サーバ装置側が、利用者に応じて取得する項目を指定することは実質的に難しい。
【００１１】
また、別の手法としては、携帯電話のメールアドレスのように、より具体的な情報項目名をサービス提供サーバ装置に指定させる手法も考えられる。ところが、この場合、どのように指定された場合にどのような情報を提供するなど、サービス提供サーバ装置と情報管理サーバ装置との間で事前に取り決めが必要である。また、情報管理サーバ装置にて記憶される情報を増やした場合には、サービス提供サーバ装置側でも同様に指定できる情報を増やす必要があるなど、両装置で同期を取る必要があるなど柔軟性に欠ける。
【００１２】
そこで、この発明は、上述した従来技術の課題を解決するためになされたものであり、サービス提供サーバ装置が必要とする情報と利用者端末が提供したい情報とを判断し、サービス提供サーバ装置に対して適切な情報を提供することが可能であるサービス提供システム、サービス提供方法、情報管理サーバ装置、情報管理方法および情報管理プログラムを提供することを目的とする。
【課題を解決するための手段】
【００１３】
上述した課題を解決し、目的を達成するため、本発明は、ネットワークを介して各種サービスを利用する利用者端末と、前記利用者端末に対して各種サービスを提供するサービス提供サーバ装置と、前記利用者端末を特定する個人情報を示す個人属性情報をサービス提供サーバ装置に提供する情報管理サーバ装置とから構成されるサービス提供システムであって、前記情報管理サーバ装置は、前記利用者端末に対応付けて、当該利用者端末に関する個人情報である個人属性情報を記憶する属性情報記憶手段と、前記各種サービスの利用要求を前記利用者端末から受け付けたサービス提供サーバ装置から、前記利用者端末に対応する個人属性情報の取得要求を受信した場合に、当該取得要求に基づいて、当該利用者端末を特定するとともに、前記サービス提供サーバ装置から要求されている個人属性情報を前記属性情報記憶手段から特定する情報特定手段と、前記情報特定手段により特定された個人属性情報から前記サービス提供サーバ装置に提供する情報を選択させる選択要求を前記利用者端末に送信する選択要求手段と、前記サービス提供サーバ装置に提供する個人属性情報が選択された選択結果を前記利用者端末から受信した場合に、当該選択結果により特定される個人属性情報を属性情報記憶手段から取得してサービス提供サーバ装置に送信する情報送信手段と、前記利用者端末は、前記情報管理サーバ装置から選択要求を受信した場合に、前記選択結果を情報管理サーバ装置に送信する選択結果送信手段と、を備えたことを特徴とする。
【発明の効果】
【００１４】
本発明によれば、情報管理サーバ装置は、利用者端末に対応付けて、当該利用者端末に関する個人情報である個人属性情報を記憶し、各種サービスの利用要求を利用者端末から受け付けたサービス提供サーバ装置から、利用者端末に対応する個人属性情報の取得要求を受信した場合に、当該取得要求に基づいて、当該利用者端末を特定するとともに、サービス提供サーバ装置から要求されている個人属性情報を特定し、特定された個人属性情報からサービス提供サーバ装置に提供する情報を選択させる選択要求を利用者端末に送信し、サービス提供サーバ装置に提供する個人属性情報が選択された選択結果を利用者端末から受信した場合に、当該選択結果により特定される個人属性情報を取得してサービス提供サーバ装置に送信し、利用者端末は、情報管理サーバ装置から選択要求を受信した場合に、選択結果を情報管理サーバ装置に送信するので、サービス提供サーバ装置が必要とする情報と利用者端末が提供したい情報とを判断し、サービス提供サーバ装置に対して適切な情報を提供することが可能である。
【発明を実施するための最良の形態】
【００１５】
以下に添付図面を参照して、この発明に係るサービス提供システム、サービス提供方法、情報管理サーバ装置、情報管理方法および情報管理プログラムの実施例を詳細に説明する。なお、以下では、本実施例で用いる主要な用語、本実施例に係るサービス提供システムの概要および特徴、サービス提供システムの構成および処理の流れを順に説明し、最後に本実施例に対する種々の変形例を説明する。
【実施例１】
【００１６】
［用語の説明］
まず最初に、本実施例で用いる主要な用語を説明する。本実施例で用いる「サービス提供システム」とは、ネットワークを介して各種サービスを利用する「利用者端末」（特許請求の範囲に記載の「利用者端末」に対応する）と、利用者端末に対して各種サービスを提供する「サービス提供サイト」（特許請求の範囲に記載の「サービス提供サーバ装置」に対応する）と、サービス提供サイトに利用者端末を特定する個人情報を示す個人属性情報を提供する「情報管理サイト」（特許請求の範囲に記載の「情報管理サーバ装置」に対応する）とがインターネットなどのネットワークを介して相互に通信可能に接続されて構成される。なお、本実施例では、それぞれの装置が１台ずつネットワークに接続されている場合について説明するが、本発明はこれに限定されるものではなく、それぞれ複数台接続されていてもよい。
【００１７】
また、「利用者端末」とは、Webブラウザを用いてネットワークに接続する機能を備え、「サービス提供サイト」に個人属性情報を提供してサービスを利用する端末装置であり、例えば、パーソナルコンピュータやワークステーション、家庭用ゲーム機、インターネットＴＶ、ＰＤＡ、あるいは携帯電話やＰＨＳの如き移動体通信端末である。なお、「利用者端末」には、自装置を識別する「識別子（ユーザID、利用者ID）」として「07ab」が割り振られ、サービスを利用する際または個人属性情報を提供する際に、Webブラウザにこの識別子を付加して通信（要求）を行う。
【００１８】
また、「サービス提供サイト」とは、例えば、VOD（Video  On  Demand）サービス、音楽配信サービス、フリーメールサービスなどの各種サービスをネットワークを介して、「利用者端末」に提供するWebサーバ装置などのサーバ装置のことである。また、この「サービス提供サイト」は、「利用者端末」からサービスの利用を希望するサービス要求を受け付けた場合に、サービス要求を受け付けた「利用者端末」を特定する個人属性情報を取得したことを条件として、当該「利用者端末」にサービスを提供する。
【００１９】
また、「情報管理サイト」は、予め契約する利用者端末によって登録された個人属性情報を記憶し、「サービス提供サイト」から要求に応じて、記憶する個人属性情報を提供する。ここで、「情報管理サイト」に記憶される個人属性情報としては、例えば、会社、自宅、携帯などのメールアドレスや会社、自宅、実家、自宅ＩＰ電話などの電話番号など、同一の項目に対して複数の情報が記憶され、それぞれ独立して個人を特定できる情報のことである。
【００２０】
［サービス提供システムの概要および特徴］
次に、図１を用いて、実施例１に係るサービス提供システムの概要および特徴を説明する。図１は、実施例１に係るサービス提供システムの全体構成を示すシステム構成図である。
【００２１】
図１に示すように、このサービス提供システムは、上記したように、利用者端末と、サービス提供サイトと、情報管理サイトとがインターネットなどのネットワークを介して相互に通信可能に接続されて構成されることを概要とするものであり、特に、サービス提供サイトが必要とする情報と利用者端末が提供したい情報とを判断し、サービス提供サイトに対して適切な情報を提供することが可能である点に主たる特徴がある。
【００２２】
この主たる特徴を具体的に説明すると、情報管理サイトは、利用者端末に対応付けて、当該利用者端末に関する個人情報である個人属性情報を属性情報ＤＢに記憶する。具体的に例を挙げれば、属性情報ＤＢは、『利用者端末を一意に識別する「利用者ID」、属性情報の項目を示す「属性情報項目名」、当該属性情報項目に属する個人情報を識別する「識別名」、当該識別名により識別される個人情報を示す「値」』として「07ab、メールアドレス、会社、k07ab@example.co.jp」、「07ab、メールアドレス、自宅、k07ab@example.myhome.com」、「07ab、メールアドレス、携帯、k07ab_mobile@mobile.example.com」、「07ab、電話番号、会社、03-xxx-xxxx」、「07ab、電話番号、自宅、044-xxx-xxxx」、「07ab、電話番号、実家、098-xxx-xxxx」、「07ab、電話番号、自宅IP電話、050-xxx-xxxx」、「07ab、住所、自宅、東京都○○」などを記憶する。
【００２３】
このような状態において、情報管理サイトは、各種サービスの利用要求を利用者端末から受け付けたサービス提供サイトから、利用者端末に対応する個人属性情報の取得要求を受信した場合に、当該取得要求に基づいて、当該利用者端末を特定するとともに、サービス提供サイトから要求されている個人属性情報を特定する（図１の（１）と（２）参照）。
【００２４】
具体的に例を挙げて説明すると、利用者端末は、サービス提供サイトにサービス利用要求を送信する。これを受けたサービス提供サイトは、当該サービス利用要求から利用者ID「07ab」を取得し、この利用者ID「07ab」に対応した個人属性情報のうち、自装置でサービス提供に必要な個人属性情報として「メールアドレス、住所」の取得要求を情報管理サイトに送信する。すると、情報管理サイトは、当該取得要求に含まれている「利用者ID＝07ab、取得要求＝メールアドレス、住所」に基づいて、当該利用者端末を特定するとともに、サービス提供サイトから要求されている個人属性情報を「07ab、メールアドレス、会社、k07ab@example.co.jp」、「07ab、メールアドレス、自宅、k07ab@example.myhome.com」、「07ab、メールアドレス、携帯、k07ab@mobile.example.com」、「07ab、住所、自宅、東京都○○」と属性情報ＤＢから特定する。
【００２５】
そして、情報管理サイトは、特定された個人属性情報からサービス提供サイトに提供する情報を選択させる選択要求を利用者端末に送信する（図１の（３）参照）。上記した例で具体的に説明すると、情報管理サイトは、特定された個人属性情報のうち「メールアドレス」に関して、「07ab、メールアドレス、会社、k07ab@example.co.jp」、「07ab、メールアドレス、自宅、k07ab@example.myhome.com」、「07ab、メールアドレス、携帯、k07ab_mobile@mobile.example.com」の３項目を特定したため、このうちどの項目をサービ提供サイトに提供するか、属性項目「会社」、「自宅」、「携帯」を選択させる形式で利用者端末に問い合わせる。また、選択させる形式としては、例えば、Ｗｅｂ画面上にこれらを表示させ、どれを提供するかをチェックボックスやプルダウンメニューで選択させる一般的に広く利用される形式を用いることができる。
【００２６】
なお、情報管理サイトが利用者端末に選択要求を送信する手法としては、例えば、情報管理サイトは、サービス提供サイトからの取得要求ごとにセッション番号を生成し、このセッション番号をサービス提供サイトを介して利用者端末に通知した後に、このセッション番号を用いて、利用者端末と直接通信する形式などを用いてもよい。また、その他にも、情報管理サイトは、利用者端末から属性情報を予め受け付ける際に、ＩＰアドレスも受け付けて属性情報ＤＢに格納しておき、このＩＰアドレスを用いて選択要求を送信してもよい。また、情報管理サイトは、セッション番号などを生成することなく、サービス提供サイトを介して選択要求を利用者端末に送信し、サービス提供サイトを介して選択結果を利用者端末から受信してもよい。このように、情報管理サイトが利用者端末に選択要求を送信する手法としては、様々な手法を用いることができる。
【００２７】
すると、利用者端末は、情報管理サイトから選択要求を受信した場合に、選択結果を情報管理サイトに送信する（図１の（４）参照）。上記した例で具体的に説明すると、利用者端末は、情報管理サイトから選択要求として、属性項目「会社」、「自宅」、「携帯」を選択させるチェックボックスを受信した場合に、利用者の操作により属性項目「会社」が選択された選択結果を情報管理サイトに送信する。
【００２８】
その後、情報管理サイトは、サービス提供サイトに提供する個人属性情報が選択された選択結果を利用者端末から受信した場合に、当該選択結果により特定される個人属性情報を属性情報ＤＢから取得してサービス提供サイトに送信する（図１の（５）参照）。上記した例で具体的に説明すると、情報管理サイトは、サービス提供サイトに提供する属性項目「会社」が選択された選択結果を利用者端末から受信した場合に、当該選択結果に含まれる「利用者ID＝07ab」より特定される個人属性情報「メールアドレス：k07ab@example.co.jp」と、利用者端末に選択させる必要がなかった「住所：東京都○○」を属性情報ＤＢから取得してサービス提供サイトに送信する。
【００２９】
そして、利用者端末の個人属性情報として、「メールアドレス：k07ab@example.co.jp」と「住所：東京都○○」とを情報管理サイトから受信したサービス提供サイトは、サービス利用要求の送信元である利用者端末に対して、サービスを提供する（図１の（６）参照）。
【００３０】
このように、実施例１に係るサービス提供システムは、サービス提供サイトが必要な情報が複数ある場合に、利用者端末により選択された情報だけを提供することができる結果、上記した主たる特徴のごとく、サービス提供サイトが必要とする情報と利用者端末が提供したい情報とを判断し、サービス提供サイトに対して適切な情報を提供することが可能である。
【００３１】
［サービス提供システムの構成］
次に、図２を用いて、図１に示したサービス提供システムの構成を説明する。図２は、実施例１に係るサービス提供システムの構成を示すブロック図である。図２に示すように、このサービス提供システムは、サービス提供サイト１０と、情報管理サイト２０と、利用者端末３０とから構成されており、ここでは、それぞれの装置の構成について説明する。
【００３２】
（サービス提供サイト１０の構成）
まず、実施例１に係るサービス提供サイト１０の構成について説明する。図２に示すように、このサービス提供サイト１０は、通信制御Ｉ／Ｆ部１１と記憶部１２と制御部１４とから構成される。
【００３３】
通信制御Ｉ／Ｆ部１１は、ネットワークに接続される各種装置との間でやり取りする各種情報に関する通信を制御する。具体的に例を挙げれば、通信制御Ｉ／Ｆ部１１は、利用者端末３０に提供するサービスに関する情報を送信したり、利用者端末３０から再取得要求を受信して、当該再取得要求を情報管理サイト２０に送信したり、情報管理サイト２０に利用者端末の個人属性情報の取得要求を送信したり、情報管理サイト２０から個人属性情報を受信したりする。
【００３４】
記憶部１２は、制御部１４による各種処理に必要なデータおよびプログラム、ネットワークを介して通信するためのルーティング情報などを格納するとともに、特に本発明に密接に関連するものとしては、サービス情報ＤＢ１３を備える。サービス情報ＤＢ１３は、利用者端末３０に提供するサービスに関する各種情報を記憶し、例えば、VOD（Video  On  Demand）サービス、音楽配信サービス、フリーメールサービスなどの各種情報として、利用するための設定情報、コンテンツ情報などを記憶する。
【００３５】
制御部１４は、ＯＳ（Operating  System）などの制御プログラム、各種の処理手順などを規定したプログラムおよび所要データを格納するための内部メモリを有するとともに、特に本発明に密接に関連するものとしては、個人属性情報要求部１５と、サービス提供部１６とを備え、これらによって種々の処理を実行する。
【００３６】
個人属性情報要求部１５は、利用者端末３０からサービス利用要求を受け付けた場合に、当該利用者端末３０に対応する個人属性情報の取得要求を情報管理サイト２０に送信する。上記した例で具体的に説明すると、個人属性情報要求部１５は、利用者端末３０からサービス利用要求を受け付けた場合に、当該サービス利用要求から当該利用者端末３０を一意に識別する利用者ＩＤ「07ab」を取得し、この利用者ＩＤ「07ab」に対応し、サービス提供サイトが必要とする個人属性情報「メールアドレス、住所」の取得要求を情報管理サイト２０に送信する。例えば、個人属性情報要求部１５は、利用者ＩＤ「07ab」を用いてログインされたWebブラウザによるサービス利用要求を利用者端末３０から受け付けた場合に、当該Webブラウザに入力された利用者ＩＤ「07ab」を取得し、この利用者ＩＤ「07ab」とともに利用者ＩＤ「07ab」に対応する個人属性情報「メールアドレス、住所」に対応する個人属性情報の取得要求を情報管理サイト２０に送信する。
【００３７】
また、個人属性情報要求部１５は、情報管理サイト２０に対して、個人属性情報の取得を再度要求する旨の指示を利用者端末３０から受信した場合に、個人属性情報の再取得要求を情報管理サイト２０に送信する。上記した例で具体的に説明すると、個人属性情報要求部１５は、当該サービス提供サイト１０に提供する個人属性情報が利用者端末３０に選択された後に、利用者端末３０から送信された個人属性情報の取得を再度要求する旨の指示が通信制御Ｉ／Ｆ部１１により受信された場合に、個人属性情報の再取得要求を情報管理サイト２０に送信する。
【００３８】
サービス提供部１６は、利用者端末３０に対して各種サービスを提供する。上記した例で具体的に説明すると、サービス提供部１６は、サービス利用要求を受け付けた利用者端末３０の個人属性情報が個人属性情報要求部１５により取得された場合に、サービス利用要求受信時に利用者端末３０により指定されたサービスを、サービス情報ＤＢ１３から取得して利用者端末３０に提供する。
【００３９】
（情報管理サイト２０の構成）
次に、実施例１に係る情報管理サイト２０の構成について説明する。図２に示すように、この情報管理サイト２０は、通信制御Ｉ／Ｆ部２１と記憶部２２と制御部２５とから構成される。
【００４０】
通信制御Ｉ／Ｆ部２１は、ネットワークに接続される各種装置との間でやり取りする各種情報に関する通信を制御する。具体的に例を挙げれば、通信制御Ｉ／Ｆ部２１は、利用者端末３０に対して個人属性情報の選択要求を送信したり、利用者端末３０から個人属性情報の選択結果を受信したり、サービス提供サイト１０から個人属性情報の取得要求や再取得要求を受信したり、サービス提供サイト１０に対して個人属性情報を送信したりする。
【００４１】
記憶部２２は、制御部２５による各種処理に必要なデータおよびプログラム、ネットワークを介して通信するためのルーティング情報などを格納するとともに、特に本発明に密接に関連するものとしては、個人属性情報ＤＢ２２ａと、属性情報選択制御ＤＢ２２ｂとを備える。
【００４２】
個人属性情報ＤＢ２２ａは、利用者端末に対応付けて、当該利用者端末に関する個人情報である個人属性情報を記憶する。上記した例で具体的に説明すると、個人属性情報ＤＢ２２ａは、図３に示すように、『利用者端末を一意に識別する「利用者ID」、属性情報の項目を示す「属性情報項目名」、当該属性情報項目に属する個人情報を識別する「識別名」、当該識別名により識別される個人情報を示す「値」』として「07ab、メールアドレス、会社、k07ab@example.co.jp」、「07ab、メールアドレス、自宅、k07ab@example.myhome.com」、「07ab、メールアドレス、携帯、k07ab_mobile@mobile.example.com」、「07ab、電話番号、会社、03-xxx-xxxx」、「07ab、電話番号、自宅、044-xxx-xxxx」、「07ab、電話番号、実家、098-xxx-xxxx」、「07ab、電話番号、自宅IP電話、050-xxx-xxxx」、「07ab、住所、自宅、東京都○○」などを記憶する。また、各種のデータやパラメータを含む情報については、特記する場合を除いて任意に変更することができる。なお、図３は、個人属性情報ＤＢに記憶される情報の例を示す図である。
【００４３】
属性情報選択制御ＤＢ２２ｂは、個人属性情報を要求したサービス提供サーバ装置とのセッションを識別するためのセッション番号と、利用者端末と、属性情報項目と、選択結果とを記憶する。上記した例で具体的に説明すると、属性情報選択制御ＤＢ２２ｂは、『個人属性情報を要求したサービス提供サイト１０とのセッションを識別するための「セッション番号」、ネットワークを介して各種サービスを利用する利用者端末を一意に識別する「利用者ＩＤ」、サービス提供サイト１０から要求されている項目を示す「属性情報項目」、利用者端末により選択された結果を示す「選択結果」』を記憶する。また、属性情報選択制御ＤＢ２２ｂは、新たな情報が格納される際、「セッション番号、利用者端末、属性情報項目、選択結果」の組み合わせを記憶している場合には、当該情報を上書きして記憶し、記憶していない場合には、新たな情報（レコード）として記憶する。なお、具体的な例については、図４以降で詳細に説明する。また、各種のデータやパラメータを含む情報については、特記する場合を除いて任意に変更することができる。
【００４４】
制御部２５は、ＯＳ（Operating  System）などの制御プログラム、各種の処理手順などを規定したプログラムおよび所要データを格納するための内部メモリを有するとともに、特に本発明に密接に関連するものとしては、情報特定部２５ａと、セッション情報生成部２５ｂと、確認要求部２５ｃと、選択要求部２５ｄと、選択結果格納部２５ｅと、情報提供部２５ｆとを備え、これらによって種々の処理を実行する。なお、各制御部については、ここでは概要について説明し、詳細な内容については、図４以降で具体的に例を挙げて説明する。
【００４５】
情報特定部２５ａは、各種サービスの利用要求を利用者端末３０から受け付けたサービス提供サイト１０から、利用者端末３０に対応する個人属性情報の取得要求を受信した場合に、当該取得要求に基づいて、当該利用者端末を特定するとともに、サービス提供サイト１０から要求されている属性情報項目を属性情報ＤＢ２２ａから特定する。上記した例で具体的に説明すると、情報特定部２５ａは、各種サービスの利用要求を利用者端末３０から受け付けたサービス提供サイト１０から、利用者端末３０に対応する個人属性情報の取得要求を受信した場合に、当該取得要求に基づいて、当該利用者端末を「利用者ＩＤ＝07ab」と特定するとともに、サービス提供サイト１０から要求されている属性情報項目「メールアドレス」、「住所」を属性情報ＤＢ２２ａから特定する。
【００４６】
セッション情報生成部２５ｂは、情報特定部２５ａにより利用者端末と属性情報項目とが特定された場合に、セッション番号を生成し、生成したセッション番号と特定した利用者端末と属性情報項目とを属性情報選択制御ＤＢ２２ｂに格納する。上記した例で具体的に説明すると、セッション情報生成部２５ｂは、情報特定部２５ａにより利用者端末３０の「利用者ＩＤ＝07ab」と属性情報項目「メールアドレス」、「住所」とが特定された場合に、セッション番号「00000011」を生成し、生成したセッション番号「00000011」に対応付けて、特定した利用者端末３０と属性情報項目「メールアドレス」、「住所」とを属性情報選択制御ＤＢ２２ｂに格納する。
【００４７】
確認要求部２５ｃは、セッション情報生成部２５ｂによりセッション番号と利用者端末と属性情報項目とが属性情報選択制御ＤＢ２２ｂに格納された場合に、格納されたセッション番号を付加した属性項目情報の選択が必要であることを示す選択確認要求を、サービス提供サイトを介して利用者端末に対して送信する。上記した例で具体的に説明すると、確認要求部２５ｃは、セッション情報生成部２５ｂによりセッション番号「00000011」と利用者端末「07ab」と属性情報項目「メールアドレス」、「住所」とが属性情報選択制御ＤＢ２２ｂに格納された場合に、格納されたセッション番号「00000011」を付加した属性項目情報の選択が必要であることを示す選択確認要求を、サービス提供サイト１０を介して利用者端末３０に対して送信する。なお、確認要求部２５ｃは、選択確認要求として、URLなどを用いた自動応答メッセージや、「選択しますか「YES」、「NO」」が利用者により選択できるWeb画面、さらには、テキストデータや音声などを送付することができ、送付手法はこれに限定されるものではない。
【００４８】
選択要求部２５ｄは、確認要求部２５ｃにより送信された選択確認要求にして選択を実施する旨の応答を利用者端末から受信した場合に、当該応答から利用者端末を特定し、特定した利用者端末の属性情報項目に対応する識別名を属性情報ＤＢ２２ａから取得して、選択要求として利用者端末に送信する。上記した例で具体的に説明すると、選択要求部２５ｄは、確認要求部２５ｃにより送信された選択確認要求に対して選択を実施する旨の応答を利用者端末３０から受信した場合に、当該応答から利用者端末３０「利用者ＩＤ＝07ab」を特定し、特定した利用者端末３０「利用者ＩＤ＝07ab」の属性情報項目「メールアドレス」に対応する識別名「会社」、「自宅」、「携帯」を属性情報ＤＢ２２ａから取得して、選択要求として利用者端末３０に送信する。なお、選択要求部２５ｄは、選択確認要求として、情報特定部２５ａにより特定された属性情報項目のうち値が複数あるもの（上記した例では「メールアドレス」、なお「住所」については１種類しかないため選択項目から除外）を選択できるようなWeb画面を送付する。例えば、選択要求部２５ｄは、Ｗｅｂ画面上にこれらを表示させ、どれを提供するかをチェックボックスやプルダウンメニューで選択させる一般的に広く利用される形式を用いることができる。
【００４９】
選択結果格納部２５ｅは、サービス提供サイトに提供する個人属性情報が選択された選択結果を利用者端末から受信した場合に、当該選択結果から利用者端末とセッション番号とを特定し、特定した利用者端末とセッション番号に対応づけて、当該選択結果により特定される識別名を属性情報ＤＢ２２ａから取得して属性情報選択制御ＤＢ２２ｂに格納する。上記した例で具体的に説明すると、選択結果格納部２５ｅは、サービス提供サイト１０に提供する個人属性情報が選択された選択結果「会社」を利用者端末３０から受信した場合に、当該選択結果「会社」から利用者端末「利用者ＩＤ＝07ab」とセッション番号「00000011」とを特定し、特定した利用者端末とセッション番号に対応づけて、当該選択結果により特定される識別名「会社」を属性情報ＤＢ２２ａから取得して属性情報選択制御ＤＢ２２ｂに格納する。また、選択結果格納部２５ｅは、利用者端末３０に選択させる必要のなかった「住所」についても、同様に、属性情報ＤＢ２２ａから取得して属性情報選択制御ＤＢ２２ｂに格納する。
【００５０】
情報提供部２５ｆは、選択結果格納部２５ｅにより選択結果により特定された識別名が属性情報選択制御ＤＢ２２ｂに格納された後に、サービス提供サイトから個人属性情報の再取得要求を受信した場合に、当該再取得要求から利用者端末とセッション番号を特定し、特定した利用者端末とセッション番号とに対応づけて属性情報選択制御ＤＢ２２ｂに記憶される識別名に対応した値を属性情報ＤＢ２２ａから取得して、サービス提供サイトに送信する。上記した例で具体的に説明すると、情報提供部２５ｆは、選択結果格納部２５ｅにより選択結果により特定された識別名「会社」と「住所」が属性情報選択制御ＤＢ２２ｂに格納された後に、サービス提供サイト１０から個人属性情報の再取得要求を受信した場合に、当該再取得要求から利用者端末「利用者ＩＤ＝07ab」とセッション番号「00000011」とを特定し、特定した利用者端末とセッション番号とに対応づけて属性情報選択制御ＤＢ２２ｂに記憶される識別名「会社」と「住所」とのそれぞれに対応した値「会社＝03-xxx-xxxx」と「住所＝東京都○○」を属性情報ＤＢ２２ａから取得して、サービス提供サイト１０に送信する。
【００５１】
（利用者端末３０の構成）
最後に、実施例１に係る利用者端末３０の構成について説明する。図２に示すように、この利用者端末３０は、通信制御Ｉ／Ｆ部３１と記憶部３２と制御部３３とから構成される。
【００５２】
通信制御Ｉ／Ｆ部３１は、ネットワークに接続される各種装置との間でやり取りする各種情報に関する通信を制御する。具体的に例を挙げれば、通信制御Ｉ／Ｆ部３１は、情報管理サイト２０から選択確認要求や選択要求を受信したり、サービス提供サイト１０に対してサービス利用要求を送信したり、情報管理サイト２０に対して選択確認要求に対する応答や選択結果を送信したりする。
【００５３】
記憶部３２は、制御部３３による各種処理に必要なデータおよびプログラムを格納し、例えば、他の装置と通信するためのルーティング情報などを記憶するとともに、制御部３３により各種処理を実行する際の一時領域となるバッファなどを有する。
【００５４】
制御部３３は、ＯＳ（Operating  System）などの制御プログラム、各種の処理手順などを規定したプログラムおよび所要データを格納するための内部メモリを有するとともに、特に本発明に密接に関連するものとしては、Ｗｅｂブラウザ部３４と、確認応答部３５と、選択結果送信部３６と、再取得要求部３７とを備え、これらによって種々の処理を実行する。なお、各制御部については、ここでは概要について説明し、詳細な内容については、図４以降で具体的に例を挙げて説明する。
【００５５】
Ｗｅｂブラウザ部３４は、インターネットなどのネットワークを介して各種サービスを利用するＷｅｂブラウザの各種制御を実施する。上記した例で具体的に説明すると、Ｗｅｂブラウザ部３４は、利用者の指示操作により、Ｗｅｂブラウザを起動し、利用者ＩＤが入力されると、当該利用者ＩＤを含めたサービス利用要求をサービス提供サイト１０に送信したり、サービス提供サイト１０から提供される各種サービスを実行したりする。また、Ｗｅｂブラウザ部３４は、サービス提供サーバ１０や情報管理サイト２０からHTTP  302などが含まれる自動応答メッセージ（URL）を受信した場合には、利用者の操作を受け付けることなく、自動的に応答メッセージを送信する。
【００５６】
確認応答部３５は、情報管理サイト２０から選択確認要求を受信した場合に、個人属性情報の選択を行うか否かの応答を、サービス提供サイト１０を介することなく情報管理サイト２０に送信する。上記した例で具体的に説明すると、Ｗｅｂブラウザ部３４は、情報管理サイト２０からサービス提供サイト１０を介して選択確認要求としてＷｅｂブラウザによる選択確認画面を受信する。すると、確認応答部３５は、個人属性情報の選択を行うか否かの応答として、当該Ｗｅｂ画面に表示される「ＹＥＳ」や「ＮＯ」の選択を利用者の操作により受け付ける。そして、確認応答部３５は、受け付けた項目をＷｅｂブラウザ部３４に通知し、Ｗｅｂブラウザ部３４は、サービス提供サイト１０を介することなく情報管理サイト２０に送信する。また、選択要求としてHTTP  302などが含まれる自動応答メッセージ（URL）をサービス提供サイト１０から受信した場合には、Ｗｅｂブラウザ部３４が、当該メッセージに対する応答を自動的に情報管理サイト２０に送信する。
【００５７】
選択結果送信部３６は、情報管理サイト２０から選択要求を受信した場合に、選択結果として選択した識別名を情報管理サイト２０に送信する。上記した例で具体的に説明すると、Ｗｅｂブラウザ部３４は、情報管理サイト２０から選択要求としてＷｅｂブラウザによる選択画面を受信する。すると、選択結果送信部３６は、受信された「メールアドレス：会社、自宅、携帯」の識別名を選択させる選択画面（例えば、チェックボックスなど）から利用者による選択「会社」を受け付ける。そして、選択結果送信部３６は、受け付けた識別名「会社」をＷｅｂブラウザ部３４に通知し、Ｗｅｂブラウザ部３４は、当該選択された識別名「会社」を情報管理サイト２０に送信する。
【００５８】
再取得要求部３７は、選択結果送信部３６により選択結果を情報管理サイト２０に送信した後に、個人属性情報の取得を再度要求する旨の指示を、サービス提供サイト１０に送信する。上記した例で具体的に説明すると、再取得要求部３７は、選択結果送信部３６により選択結果である識別名「会社」が情報管理サイト２０に送信された後に、個人属性情報の取得を再度要求する旨の指示をサービス提供サイト１０に送信する。また、情報提供が可能である旨のメッセージとしてHTTP  302などが含まれる自動応答メッセージ（URL）を情報管理サイト２０から受信した場合には、Ｗｅｂブラウザ部３４が、当該メッセージに対する応答を自動的にサービス提供サイト１０に送信する。
【００５９】
［サービス提供システムによる処理］
次に、図４と図５とを用いて、サービス提供システムによる処理を説明する。図４と図５とは、実施例１に係るサービス提供システムにおける処理の流れを示すシーケンス図である。
【００６０】
図４に示すように、利用者端末３０（利用者ＩＤ＝07ab）は、利用者の指示操作により、Webブラウザを起動して、利用者により入力されたログイン情報（利用者ＩＤ、パスワード）とともに、サービス提供サイト１０に対してサービス利用要求を送信する（ステップＳ１０１）。この際に、利用者端末３０は、利用したいサービスを指定してサービス利用要求を送信する。
【００６１】
すると、サービス提供サイト１０は、受け付けた利用者ＩＤ（07ab）とともに、サービスを提供する上で必要となる個人属性情報（属性項目：メールアドレス、電話番号）の取得要求を、情報管理サイト２０に送信する（ステップＳ１０２）。
【００６２】
そして、この取得要求を受け付けた情報管理サイト２０は、当該取得要求から利用者ＩＤ（07ab）と属性項目（メールアドレス、電話番号）とを特定して、セッション番号（00000011）を生成し、生成したセッション番号（00000011）に対応付けて、特定した利用者ＩＤ（07ab）と属性項目（メールアドレス、電話番号）とを属性情報選択制御ＤＢ２２ｂに格納する（ステップＳ１０３〜ステップＳ１０５）。
【００６３】
具体的に例を挙げると、情報管理サイト２０は、図６−１に示すように、「セッション番号、利用者ＩＤ、属性情報項目、選択結果」として、「00000011、07ab、メールアドレス、未設定」、「00000011、07ab、電話番号、未設定」と属性情報選択制御ＤＢ２２ｂに格納する。なお、ここで、「選択結果」が「未設定」となっているのは、この段階では、サービス提供サイト１０に提供される情報が利用者により選択されていないためであり、利用者により選択された選択結果を受信すると、「選択結果」に選択された結果の識別名が格納されることとなる。また、図６−１は、属性情報選択制御ＤＢに格納される情報の例を示す図である。
【００６４】
図４に戻り、セッション番号、利用者ＩＤ（07ab）、属性項目を属性情報選択制御ＤＢ２２ｂに格納した情報管理サイト２０は、格納したセッション番号を付加した属性項目情報の選択が必要であることを示す選択確認要求を、サービス提供サイト１０を介して利用者端末３０に対して送信する（ステップＳ１０６とステップＳ１０７）。
【００６５】
具体的に例を挙げると、情報管理サイト２０は、格納したセッション番号を付加した属性項目情報の選択が必要であることを示す選択確認要求をサービス提供サイト１０に送信する。そして、サービス提供サイト１０は、HTTP  302などの応答メッセージとセッション番号とを含んだURLを利用者端末３０に送信する。
【００６６】
当該選択確認要求を示すメッセージを受信した利用者端末３０は、個人属性情報の選択を行うか否かの応答「実行」をサービス提供サイト１０を介することなく情報管理サイト２０に送信する（ステップＳ１０８）。
【００６７】
具体的に例を挙げると、HTTP  302などの応答メッセージとセッション番号とを含んだURLを受信した利用者端末３０は、このURLに対してWebブラウザ部３４により自動的に応答を情報管理サイト２０に送信する。なお、ここで自動的に送信される応答が、選択確認要求に対する「実行」を示すこととなる。
【００６８】
情報管理サイト２０は、送信した選択確認要求にして許可する旨の応答を利用者端末３０から受信した場合に、当該応答から利用者端末の利用者ＩＤ（07ab）とセッション番号（00000011）を特定する（ステップＳ１０９とステップＳ１１０）。続いて、情報管理サイト２０は、特定した利用者ＩＤ（07ab）とセッション番号（00000011）に対応付けて属性情報選択制御ＤＢ２２ｂに記憶される属性情報項目「メールアドレス、電話番号」を特定し、特定した属性情報項目「メールアドレス、電話番号」に対応する識別名を属性情報ＤＢ２２ａから取得して、選択要求としてセッション番号とともに利用者端末３０に送信する（ステップＳ１１１〜ステップＳ１１３）。
【００６９】
具体的に例を挙げると、情報管理サイト２０は、図６−２に示すように、選択確認要求にして許可する旨の応答から特定した利用者ＩＤ（07ab）とセッション番号（00000011）に対応付けて属性情報選択制御ＤＢ２２ｂに記憶される属性情報項目として「メールアドレス、電話番号」を特定する。そして、情報管理サイト２０は、特定された属性情報項目「メールアドレス、電話番号」の識別名として、図７−１に示すように、「メールアドレス：会社、自宅、携帯」、「電話番号：会社、自宅、実家、自宅ＩＰ電話」を取得する。すると、情報管理サイト２０は、取得した識別名が複数あることより、図８に示すような選択画面を作成して、選択要求として利用者端末３０に送信する。なお、図６−２は、特定される属性情報項目の例を示す図であり、図７−１は、取得される識別名の例を示す図であり、図８は、情報管理サイトにより利用者端末に送信される選択要求の例を示す図である。
【００７０】
図５に戻り、選択要求を受信した利用者端末３０は、利用者の指示操作により、選択結果を受け付け、受け付けた選択結果とセッション番号とを情報管理サイト２０に送信する（ステップＳ１１４）。なお、ここでは、選択結果として「メールアドレス：自宅、電話番号：自宅ＩＰ電話」が選択されたこととする。
【００７１】
そして、この選択結果を受信した情報管理サイト２０は、選択要求を受け付けた際と同様に、当該選択結果から利用者端末の利用者ＩＤ（07ab）とセッション番号（00000011）を特定する（ステップＳ１１５とステップＳ１１６）。続いて、情報管理サイト２０は、受信した選択結果「メールアドレス：自宅、電話番号：自宅ＩＰ電話」を、特定した利用者ＩＤ（07ab）とセッション番号（00000011）に対応付けて、属性情報選択制御ＤＢ２２ｂに格納し（ステップＳ１１７）、当該情報を格納した旨を利用者端末に通知する（ステップＳ１１８）。
【００７２】
具体的に例を挙げると、情報管理サイト２０は、図６−３に示すように、受信した選択結果「メールアドレス：自宅、電話番号：自宅ＩＰ電話」を、特定した利用者ＩＤ（07ab）とセッション番号（00000011）に対応付けて、属性情報選択制御ＤＢ２２ｂに格納する。そして、情報管理サイト２０は、当該情報を格納した旨の通知として、HTTP  302などの応答メッセージとセッション番号とを含んだURLを利用者端末３０に送信する。なお、図６−３は、選択結果を格納する例を示す図である。
【００７３】
図５に戻り、その後、利用者端末３０は、個人属性情報の取得を再度要求する旨の指示「セッション番号」を、サービス提供サイト１０に送信し（ステップＳ１１９）、サービス提供サイト１０は、利用者端末３０に指示された再取得要求「セッション番号、属性情報項目（メールアドレス、電話番号）」を情報管理サイト２０に送信する（ステップＳ１２０）。
【００７４】
具体的に例を挙げると、HTTP  302などの応答メッセージとセッション番号とを含んだURLを受信した利用者端末３０は、このURLに対してWebブラウザ部３４により自動的にセッション番号が付加された応答として再取得要求をサービス提供サイト１０に送信する。すると、サービス提供サイト１０は、受信した再取得要求「セッション番号、属性情報項目（メールアドレス、電話番号）」を情報管理サイト２０に送信する。
【００７５】
そして、この再度要求を受信した情報管理サイト２０は、選択要求を受け付けた際と同様に、当該再度要求から利用者端末の利用者ＩＤ（07ab）とセッション番号（00000011）を特定する（ステップＳ１２１とステップＳ１２２）。続いて、情報管理サイト２０は、属性情報選択制御ＤＢ２２ｂから選択結果「メールアドレス：自宅、電話番号：自宅ＩＰ電話」を取得し、取得した特定した「メールアドレス：自宅、電話番号：自宅ＩＰ電話」に対応する値を属性情報ＤＢ２２ａから取得してサービス提供サイト１０に提供する（ステップＳ１２３とステップＳ１２５）。
【００７６】
具体的に例を挙げると、情報管理サイト２０は、図７−２に示すように、当該再度要求から特定された利用者端末の利用者ＩＤ（07ab）とセッション番号（00000011）に対応する値「k07ab@example.myhome.com、050-xxx-xxxx」を属性情報ＤＢ２２ａから取得してサービス提供サイト１０に提供する。なお、図７−２は、提供される個人属性情報の例を示す図である。
【００７７】
このようにして、サービス利用要求を送信した利用者端末３０の個人属性情報を受け付けたサービス提供サイト１０は、当該利用者端末３０に対して、要求されたサービスを提供する（ステップＳ１２６）。
【００７８】
［実施例１による効果］
このように、実施例１によれば、情報管理サイト２０は、利用者端末３０に対応付けて、当該利用者端末３０に関する個人情報である個人属性情報を記憶し、各種サービスの利用要求を利用者端末３０から受け付けたサービス提供サイト１０から、利用者端末３０に対応する個人属性情報の取得要求を受信した場合に、当該取得要求に基づいて、当該利用者端末３０を特定するとともに、サービス提供サイト１０から要求されている個人属性情報を特定し、特定された個人属性情報からサービス提供サイト１０に提供する情報を選択させる選択要求を利用者端末３０に送信し、サービス提供サイト１０に提供する個人属性情報が選択された選択結果を利用者端末３０から受信した場合に、当該選択結果により特定される個人属性情報を取得してサービス提供サイト１０に送信する。また、利用者端末３０は、情報管理サイト２０から選択要求を受信した場合に、選択結果を情報管理サイト２０に送信する。この結果、サービス提供サイト１０が必要とする情報と利用者端末３０が提供したい情報とを判断し、サービス提供サイト１０に対して適切な情報を提供することが可能である。
【００７９】
（利用者の効果）
また、利用者、サービス提供側、情報管理側のそれぞれの装置における効果を具体的に説明する。利用者にとっては、サービスを利用する際に、毎回属性情報を個別のサービス提供サイトに入力しなくても、情報管理サイトに格納されている情報を選択するだけで利用できるので、入力の手間が省け、利便性が向上する。また、サービス提供サイトでのサービスを利用する際に、連絡先として携帯電話のメールアドレスを使用したいのか、家庭ＰＣのメールアドレスを使用したいのか、住所として自宅住所に配送するのか、実家住所に配送するのかなどの利用目的に即した個人属性情報を、対話的に選択することが可能となるので、情報管理サイトに様々な目的の情報を登録できるようになり、情報の一元管理が容易となる。
【００８０】
（サービス提供側の効果）
サービス提供側（サービス提供サイト）にとっては、情報管理サイトに属性情報を要求する際に、情報管理サイトで一つの属性項目名として複数の属性情報が管理されていたとしても、サービス提供サイト側からは属性項目名だけを指定すれば、適切な属性情報が提供されるため、サービス提供サイト側からの情報管理サイトの利用が容易となる。また、属性情報を入力させる代わりに、情報管理サイトからの属性情報の取得とすることができる結果、入力機能が制限される携帯端末などの利用者端末に対するサービス提供が容易となる。
【００８１】
（情報管理側の効果）
情報管理側（情報管理サイト）にとっては、複数のメールアドレスやクレジット番号などの属性情報を一元的に管理するサービスを実現でき、サービス提供サイトからの利用料収入が期待できる。
【実施例２】
【００８２】
ところで、本発明は、ネットワークを介した様々なサービスに適用することができる。そこで、実施例２では、本発明を適したサービス例について具体的に説明する。ここでは、決済サービスサイトへの適用例と通信販売やお客様相談サイトでの適用例とについて説明するが、本発明はこれに限定されるものではなく、ネットワークを介した様々なサービスにも同様に適用することができる。
【００８３】
（決済サービスサイトへの適用例）
まず、図９を用いて、本発明を用いた決済サービスサイトについて説明する。図９は、実施例２に係る決済サービスシステムの例を示す図である。
【００８４】
図９に示すように、実施例２に係る決済サービスシステムは、利用者のサービス利用状況に応じて自動決済を行うサービス提供サイト（決済サービスサイト）と、利用者のクレジット番号を含む個人情報を管理する情報管理サイトと、サービスを利用する利用者端末とから構成されている。
【００８５】
そして、情報管理サイトは、個人属性情報として『利用者を一意に識別する「利用者ＩＤ」、個人属性情報の項目を示す「属性情報項目名」、属性情報項目名に対応する値を識別する「識別名」、個人属性情報を示す「値」』として「07ab、氏名、氏名、山田太郎」、「07ab、クレジット番号、A社、51XX  XXXX  XXXX  XXXX」、「07ab、クレジット番号、B社、48XX  XXXX  XXXX  XXXX」、「07ab、クレジット番号、C社、35XX  XXXX  XXXX  XXXX」などと記憶する。
【００８６】
このような構成において、利用者端末は、Webブラウザを用いてサービス提供サイトにログイン（ログインＩＤ（利用者ＩＤ）＝07ab、パスワード）を行って、サービス利用要求を送信する（図９の（１）参照）。
【００８７】
すると、サービス提供サイトは、受け付けたサービス利用要求から利用者ＩＤ（07ab）を取得し、取得した利用者ＩＤ（07ab）に対応するクレジット番号の取得要求（氏名、クレジット番号）を情報管理サイトに送信する（図９の（２）参照）。
【００８８】
この取得要求を受け付けた情報管理サイトは、実施例１で説明したステップＳ１０３〜ステップＳ１２４の処理と同様に、識別名が複数あるクレジット番号を利用者端末に選択させる（図９の（３）参照）。なお、ここでは、利用者端末は、クレジット番号として「Ｂ社」を選択したとする。
【００８９】
すると、情報管理サイトは、サービス提供サイトから要求されており、利用者端末により選択された個人属性情報として、「氏名＝山田太郎、クレジット番号＝48XX  XXXX  XXXX  XXXX」をサービス提供サイトに送信し（図９の（４）参照）、サービス提供サイトは、利用者端末にサービスを提供する（図９の（５）参照）。
【００９０】
（通信販売やお客様相談サイトへの適用例）
次に、図１０を用いて、本発明を用いた通信販売やお客様相談サイトについて説明する。図１０は、実施例２に係る通信販売やお客様相談システムの例を示す図である。
【００９１】
図１０に示すように、実施例２に係る通信販売やお客様相談システムは、通信販売やお客様相談サービスを提供するサービス提供サイトと、利用者の個人情報を管理する情報管理サイトと、サービスを利用する利用者端末とから構成されている。
【００９２】
そして、情報管理サイトは、個人属性情報として『利用者を一意に識別する「利用者ＩＤ」、個人属性情報の項目を示す「属性情報項目名」、属性情報項目名に対応する値を識別する「識別名」、個人属性情報を示す「値」』として「07ab、氏名、氏名、山田太郎」、「07ab、住所、会社、東京都千代田区・・・」、「07ab、メールアドレス、自宅、k07ab@example.myhome.com」、「07ab、電話番号、実家、098-xxx-xxxx」などと記憶する。
【００９３】
（通信販売の例）
このような構成において、利用者端末が通信販売を利用する場合、利用者端末は、Webブラウザを用いてサービス提供サイトにログイン（ログインＩＤ（利用者ＩＤ）＝07ab、パスワード）を行って、サービス利用要求を送信する（図１０の（１）参照）。
【００９４】
すると、通信販売を提供するサービス提供サイトは、受け付けたサービス利用要求から利用者ＩＤ（07ab）を取得し、取得した利用者ＩＤ（07ab）に対応する個人属性情報の取得要求（氏名、住所、メールアドレス、電話番号）を情報管理サイトに送信する（図１０の（２）参照）。
【００９５】
この取得要求を受け付けた情報管理サイトは、実施例１で説明したステップＳ１０３〜ステップＳ１２４の処理と同様に、識別名が複数ある「住所、メールアドレス、電話番号」を利用者端末に選択させる（図１０の（３）参照）。なお、ここでは、利用者端末は、「住所＝自宅、メールアドレス＝自宅、電話番号＝自宅」を選択したとする。
【００９６】
すると、情報管理サイトは、サービス提供サイトから要求されており、利用者端末により選択された個人属性情報として、「氏名＝山田太郎、住所＝神奈川県川崎市、メールアドレス＝k07ab@example.myhome.com、電話番号＝044-xxx-xxxx」をサービス提供サイトに送信し（図１０の（４）参照）、サービス提供サイトは、利用者端末にサービスを提供する（図１０の（５）参照）。
【００９７】
（お客様相談サイトの例）
このような構成において、利用者端末がお客様相談サイトを利用する場合、利用者端末は、Webブラウザを用いてサービス提供サイトにログイン（ログインＩＤ（利用者ＩＤ）＝07ab、パスワード）を行って、サービス利用要求を送信する（図１０の（６）参照）。
【００９８】
すると、通信販売を提供するサービス提供サイトは、受け付けたサービス利用要求から利用者ＩＤ（07ab）を取得し、取得した利用者ＩＤ（07ab）に対応する個人属性情報の取得要求（氏名、メールアドレス）を情報管理サイトに送信する（図１０の（７）参照）。
【００９９】
この取得要求を受け付けた情報管理サイトは、実施例１で説明したステップＳ１０３〜ステップＳ１２４の処理と同様に、識別名が複数ある「メールアドレス」を利用者端末に選択させる（図１０の（８）参照）。なお、ここでは、利用者端末は、「メールアドレス＝会社」を選択したとする。
【０１００】
すると、情報管理サイトは、サービス提供サイトから要求されており、利用者端末により選択された個人属性情報として、「メールアドレス＝k07ab@example.co.jp」をサービス提供サイトに送信し（図１０の（９）参照）、サービス提供サイトは、利用者端末にサービスを提供する（図１０の（１０）参照）。
【０１０１】
このようにすることで、利用者は、利用目的に合った属性情報を選択して、サービスを利用することができ、個人属性情報の入力の手間を省くことが可能である。また、サービス提供サイトにとっては、必要とする属性情報項目名だけで適切な属性情報を取得することが可能である。
【実施例３】
【０１０２】
ところで、実施例１〜２では、情報管理サイトは、サービス提供サイトが指定する属性情報項目の識別名を利用者端末に選択させる例について説明したが、本発明はこれに限定されるものではなく、識別名を選択させる際に、過去の選択履歴に基づいて選択される可能性が高い選択候補を予め選択した状態で、利用者端末に選択させることもできる。
【０１０３】
そこで、実施例３では、図１１〜図１３を用いて、過去の選択履歴に基づいて選択される可能性が高い選択候補を決定する例について説明する。なお、図１１は、過去の選択履歴を示す図でありであり、図１２は、サービス提供サイトから現時点で要求されている属性項目の内容を示す図であり、図１３は、選択候補を決定するための係数を示す図である。
【０１０４】
図１１に示すように、情報管理サイトは、選択履歴として、『履歴を区別する「項番」、利用者を示す「利用者ＩＤ」、選択要求された項目を示す「属性情報項目名」、提供されたサービス提供サイトを示す「状況情報１（サービス提供サイト）」、選択した利用者端末の種別を示す「状況情報２（端末種別）」、利用者端末により選択された結果を示す「選択結果識別名」』を「1、07ab、メールアドレス、A社、携帯、会社」などを記憶する。例えば、上記した例では、利用者ＩＤが「07ab」の利用者端末は、メールアドレスとして「会社」を選択して、属性情報をサービス提供サイト（A社）に提供したことを示している。
【０１０５】
また、図１２に示すように、情報管理サイトは、サービス提供サイトから現時点で要求されている属性項目の内容として、『利用者を識別する「利用者ID」、要求されており、利用者による選択が必要な属性情報項目を示す「属性情報項目名」、要求しているサービス提供サイトを示す「状況情報１（サービス提供サイト）」、サービスを利用しようとしている利用者端末の種別を示す「状況情報２（端末種別）」、選択候補として決定された項目を示す「選択候補」』などを「07ab、メールアドレス、A社、携帯、―（未選択）」などを記憶する。
【０１０６】
また、図１３に示すように、情報管理サイトは、選択候補を決定するための係数（特許請求の範囲に記載の所定の条件）として、サービス提供サイトから現時点で要求されている属性項目と、選択履歴とが一致するか不一致なのかにより、計数する係数を記憶する。例えば、情報管理サイトは、「条件＝状況情報１、一致＝＋２、不一致＝−１」、「条件＝状況情報２、一致＝＋１、不一致＝０」などを記憶する。
【０１０７】
このような状態において、情報管理サイトは、サービス提供サイトから要求されている個人属性情報として、図１２の１行目に示す「07ab、メールアドレス、状況情報１＝A社、状況情報２＝携帯」の選択候補を決定する例について説明する。情報管理サイトは、要求されている属性情報項目「メールアドレス」の選択履歴を図１１から取得する。この例の場合、情報管理サイトは、「1、07ab、メールアドレス、状況情報１＝A社、状況情報２＝携帯、会社」（図１１の１行目）、「２、07ab、メールアドレス、状況情報１＝B社、状況情報２＝PC、自宅」（図１１の２行目）を取得することとなる。
【０１０８】
すると、情報管理サイトは、図１１の１行目と図１２の１行目の「状況情報１」および図１１の２行目と図１２の２行目の「状況情報２」をそれぞれ比較し、「状況情報１＝A社」と「状況情報２＝携帯」とそれぞれ一致しているため、図１３に基づいて、計数を「３」（２＋１）とする。同様に、情報管理サイトは、図１１の２行目と図１２の１行目の「状況情報１」および図１１の２行目と図１２の２行目の「状況情報２」をそれぞれ比較し、「状況情報１」と「状況情報２」とそれぞれ不一致のため、図１３に基づいて、計数を「−１」（−１＋０）とする。
【０１０９】
その結果、情報管理サイトは、図１２の１行目に示す「07ab、メールアドレス、状況情報１＝A社、状況情報２＝携帯」の選択結果を、計数「３」の図１１に１行目に示す「1、07ab、メールアドレス、状況情報１＝A社、状況情報２＝携帯、会社」の履歴に基づいて「会社」と決定し、図１２の１行目の選択候補に格納する。そして、情報管理サイトは、図１２の１行目に示す「07ab、メールアドレス、状況情報１＝A社、状況情報２＝携帯」の選択要求を送信する際に、「メールアドレス＝会社」が選択された状態の選択画面を利用者端末に送信する。
【０１１０】
このように、情報管理サイトは、図１２の各行に示す選択要求に対して上記した手法を用いることにより、それぞれ選択候補を決定し、それが選択された状態の選択画面を利用者端末に送信することとなる。なお、情報管理サイトは、選択要求として、選択候補を決定して、それが選択された状態の選択画面を利用者端末に送信する場合、上記した手法を用いることに限らず、選択履歴から択一的に選択候補を決定してもよい。
【０１１１】
こうすることで、情報管理サイトは、特定された個人属性情報からサービス提供サイトに提供する情報を選択させる選択要求を利用者端末に送信するのに際して、当該選択履歴に記憶される選択結果の履歴に基づいて、当該利用者端末により選択される可能性が高い選択候補を予め選択した状態で、利用者端末に選択要求を送信するので、過去の選択履歴に基づいて、利用者が選択する可能性が高い候補を予めデフォルトで選択しておくことで、利用者の利便性を向上させることが可能である。
【０１１２】
また、情報管理サイトは、特定された個人属性情報からサービスサイトに提供する情報を選択させる選択要求を利用者端末に送信するのに際して、当該選択履歴に記憶される状況情報と予め定めた所定の条件（係数）とに基づいて、当該利用者端末により選択される可能性が高い選択候補を予め選択した状態で、利用者端末に選択要求を送信するので、利用者の利便性をさらに向上させることが可能である。具体的には、情報管理サイトは、選択履歴として、利用者ＩＤと属性情報項目名ごとに選択結果である識別名を記録するだけでなく、利用者が選択した際の端末種別などの情報を「状況情報」として追加記憶することで、履歴上の状況情報と現在の状況情報とが類似した選択候補を選択することが可能であり、システム全体として、利用者の利便性をさらに向上させることが可能である。
【０１１３】
また、これにより、例えば、ＰＣからの利用時は、過去にＰＣから利用する際に使用したメールアドレスを選択候補と決定したり、携帯からの利用時は、過去に携帯電話から利用したメールアドレスを選択候補として決定したりことができる結果、利用する状況に応じて、有線候補の抽出を実現することができる。
【０１１４】
また、上記した例では、状況情報として、「サービス提供サイトの種類」と「利用者端末の種別」とを用いた場合について説明したが、本発明はこれに限定されるものではなく、例えば、回線種別など様々な情報を用いることができる。
【実施例４】
【０１１５】
さて、これまで本発明の実施例について説明したが、本発明は上述した実施例以外にも、種々の異なる形態にて実施されてよいものである。そこで、以下に示すように、（１）選択要求の送信経路、（２）システム構成等、（３）プログラムにそれぞれ区分けして異なる実施例を説明する。
【０１１６】
（１）選択要求の送信経路
例えば、実施例１では、情報管理サイトは、選択確認要求を利用者端末に送信し、選択結果を受信した後に、再取得要求を受信した場合に、選択された個人属性情報をサービス提供サイトに提供する例について説明したが、本発明はこれに限定されるものではなく、情報管理サイトは、サービス提供サイトから個人属性情報の取得要求を受信し、提供すべき情報が複数ある場合には、サービス提供サイトを介して利用者端末に選択させ、その結果をサービス提供サイトに提供するようにしてもよい。つまり、実施例１で説明したセッション番号を生成することなく、利用者端末に選択画面を送信して結果を得ることができる。
【０１１７】
（２）システム構成等
また、本実施例において説明した各処理のうち、自動的におこなわれるものとして説明した処理（例えば、サービス利用要求から利用者ＩＤを取得する処理など）の全部または一部を手動的におこなうこともできる。この他、上記文書中や図面中で示した処理手順、制御手順、具体的名称、各種のデータやパラメータを含む情報については、特記する場合を除いて任意に変更することができる。
【０１１８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合（例えば、情報管理サイトの情報特定部とセッション情報生成部とを統合するなど）して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１１９】
（３）プログラム
なお、本実施例で説明した情報管理方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【０１２０】
以上のように、本発明に係るサービス提供システム、サービス提供方法、情報管理サーバ装置、情報管理方法および情報管理プログラムは、ネットワークを介して各種サービスを利用する利用者端末と、前記利用者端末に対して各種サービスを提供するサービス提供サーバ装置と、前記利用者端末を特定する個人情報を示す個人属性情報をサービス提供サーバ装置に提供する情報管理サーバ装置とから構成されるに有用であり、特に、サービス提供サーバ装置が必要とする情報と利用者端末が提供したい情報とを判断し、サービス提供サーバ装置に対して適切な情報を提供することに適する。
【図面の簡単な説明】
【０１２１】
【図１】実施例１に係るサービス提供システムの全体構成を示すシステム構成図である。
【図２】実施例１に係るサービス提供システムの構成を示すブロック図である。
【図３】個人属性情報ＤＢに記憶される情報の例を示す図である。
【図４】実施例１に係るサービス提供システムにおける処理の流れを示すシーケンス図である。
【図５】実施例１に係るサービス提供システムにおける処理の流れを示すシーケンス図である。
【図６−１】属性情報選択制御ＤＢに格納される情報の例を示す図である。
【図６−２】特定される属性情報項目の例を示す図である。
【図６−３】選択結果を格納する例を示す図である。
【図７−１】取得される識別名の例を示す図である。
【図７−２】提供される個人属性情報の例を示す図である。
【図８】情報管理サイトにより利用者端末に送信される選択要求の例を示す図である。
【図９】実施例２に係る決済サービスシステムの例を示す図である。
【図１０】実施例２に係る通信販売やお客様相談システムの例を示す図である。
【図１１】過去の選択履歴を示す図である。
【図１２】サービス提供サイトから現時点で要求されている属性項目の内容を示す図である。
【図１３】選択候補を決定するための係数を示す図である。
【図１４】従来技術を説明するための図である。
【符号の説明】
【０１２２】
１０  サービス提供サイト
１１  通信制御Ｉ／Ｆ部
１２  記憶部
１３  サービス情報ＤＢ
１４  制御部
１５  個人属性情報要求部
１６  サービス提供部
２０  情報管理サイト
２１  通信制御Ｉ／Ｆ部
２２  記憶部
２２ａ  個人属性情報ＤＢ
２２ｂ  属性情報選択制御ＤＢ
２５  制御部
２５ａ  情報特定部
２５ｂ  セッション情報生成部
２５ｃ  確認要求部
２５ｄ  選択要求部
２５ｅ  選択結果格納部
２５ｆ  情報提供部
３０  利用者端末
３１  通信制御Ｉ／Ｆ部
３２  記憶部
３３  制御部
３４  Ｗｅｂブラウザ部
３５  確認応答部
３６  選択結果送信部
３７  再取得要求部
【図１】
2009217521.tif 000003
【図２】
2009217521.tif 000004
【図３】
2009217521.tif 000005
【図４】
2009217521.tif 000006
【図５】
2009217521.tif 000007
【図６−１】
2009217521.tif 000008
【図６−２】
2009217521.tif 000009
【図６−３】
2009217521.tif 000010
【図７−１】
2009217521.tif 000011
【図７−２】
2009217521.tif 000012
【図８】
2009217521.tif 000013
【図９】
2009217521.tif 000014
【図１０】
2009217521.tif 000015
【図１１】
2009217521.tif 000016
【図１２】
2009217521.tif 000017
【図１３】
2009217521.tif 000018
【図１４】
2009217521.tif 000019